(57)【要約】【課題】演奏前の楽曲についての予習を実現するにあたり、従来よりも構成が大がかりにならないようにすること。【解決手段】リモコン端末２により操作部６０への操作が行われていない期間に（ｓ５６０：ＮＯ）、カラオケ装置１から送信された領域データで示される歌詞がリモコン端末２の表示部５８に表示される（ｓ５５０）。この領域データは、カラオケ装置１側で演奏されていない演奏楽曲の歌詞を示すデータであるため、ユーザは、こうして表示される歌詞に基づき、演奏前の楽曲についての予習を行うことができる。このように、演奏前の楽曲についての予習は、演奏楽曲をカラオケ装置１に通知するリモコン端末２を利用して行うことができるため、予習のための表示装置を設ける構成と比べてカラオケシステム全体の構成が大がかりになってしまうことはない。【選択図】図７
2006047574.tif 000002
【特許請求の範囲】
【請求項１】
カラオケ装置が、該カラオケ装置に演奏させるべき演奏楽曲をユーザに選曲させて該選曲された演奏楽曲を前記カラオケ装置に通知する選曲通知機能を有するリモコン端末と、データ通信可能に構成されてなるカラオケシステムであって、
前記カラオケ装置は、
ユーザ側から通知された演奏楽曲それぞれを特定するための特定情報を装置側記憶部に記憶させる特定記憶手段と、
該特定記憶手段により記憶された特定情報で特定される演奏楽曲それぞれについて、少なくとも該演奏楽曲の伴奏内容および歌詞を示す楽曲データを、複数の演奏楽曲それぞれに対応する楽曲データが蓄積されてなる楽曲データベースから取得し、該取得した楽曲データに基づいて演奏楽曲の演奏を順次行う楽曲演奏手段と、
前記特定記憶手段により記憶された特定情報で特定される演奏楽曲のうち、前記楽曲演奏手段による演奏が行われていない未演奏楽曲について、該未演奏楽曲に対応する前記楽曲データを前記楽曲データベースから取得し、該取得した楽曲データにおいて少なくとも歌詞を示すデータ領域からなる領域データを、前記リモコン端末へ送信する領域送信手段と、を備えており、
前記リモコン端末は、
前記カラオケ装置から送信されてきた前記領域データを端末側記憶部に記憶させる領域記憶手段と、
前記選曲通知機能に関するユーザの操作が行われていない期間に、前記領域記憶手段により記憶された領域データで示される歌詞を表示部に表示させる歌詞表示手段と、を備えている
ことを特徴とするカラオケシステム。
【請求項２】
前記未演奏楽曲は、前記楽曲演奏手段による演奏が行われていない演奏楽曲のうち、次に演奏が行われることとなる演奏楽曲である
ことを特徴とする請求項１に記載のカラオケシステム。
【請求項３】
前記リモコン端末においては、外部からの指令を受けて、前記カラオケ装置に対して前記領域データを要求する領域データ要求手段が備えられており、
前記カラオケ装置において、前記領域送信手段は、前記リモコン端末から前記領域データの要求を受けた際に、前記領域データを前記リモコン端末へ送信する
ことを特徴とする請求項１または請求項２に記載のカラオケシステム。
【請求項４】
前記カラオケ装置において、
前記特定記憶手段は、ユーザ側から演奏楽曲が通知される毎に、該演奏楽曲を特定するための特定情報を装置側記憶部に記憶された選曲リストに順次登録し、その後、前記楽曲演奏手段による演奏が開始された演奏楽曲の特定情報について演奏中である旨を特定可能な状態に変更すると共に、演奏が終了した演奏楽曲の特定情報を前記選曲リストから削除して、
さらに、前記特定記憶手段により前記選曲リストの登録情報が変更される毎に、該選曲リストを前記リモコン端末へ送信するリスト送信手段を備えており、
前記リモコン端末においては、
前記カラオケ装置から送信されてきた前記選曲リストに登録された特定情報で特定される演奏楽曲のうち、前記未演奏楽曲について、該未演奏楽曲に対応する前記領域データが端末側記憶部に記憶されているか否かを判定する記憶判定手段が備えられており、
前記領域データ要求手段は、前記記憶判定手段により前記未演奏楽曲に対応する前記領域データが記憶されていないと判定された場合に、該領域データを前記カラオケ装置に対して要求する
ことを特徴とする請求項３に記載のカラオケシステム。
【請求項５】
前記カラオケ装置において、
前記特定記憶手段は、ユーザ側から通知された演奏楽曲の演奏時間を前記楽曲データベースに蓄積されている前記楽曲データから特定し、該特定した演奏時間を対応付けた状態で前記特定情報を前記選曲リストに登録して、
前記リモコン端末においては、
前記選曲通知機能に関するユーザの操作が行われていない期間となった際に、前記選曲リストの登録内容に基づき、該選曲リストに登録されている演奏中である旨の状態となっている特定情報について、該特定情報で特定される演奏楽曲の演奏が終了するまでに要する時間を推測する終了推測手段が備えられており、
前記歌詞表示手段は、前記領域記憶手段により記憶された領域データで示される歌詞を、前記終了推測手段により推測された時間に応じた表示態様にて表示部に表示させる
ことを特徴とする請求項１から４のいずれかに記載のカラオケシステム。
【請求項６】
請求項１から５のいずれかに記載のカラオケ装置が備える全ての手段を備えてなるカラオケ装置。
【請求項７】
請求項１から５のいずれかに記載のリモコン端末が備える全ての手段を備えてなるリモコン端末。
【請求項８】
請求項１から５のいずれかに記載のカラオケ装置としてコンピュータシステムを機能させるためのプログラム。
【請求項９】
請求項１から５のいずれかに記載のリモコン端末としてコンピュータシステムを機能させるためのプログラム。
【発明の詳細な説明】
【技術分野】
【０００１】
本発明は、カラオケ装置が、ユーザに選曲させた楽曲をカラオケ装置に通知するリモコン端末とデータ通信可能に構成されてなるカラオケシステムに関する。
【背景技術】
【０００２】
近年、カラオケシステムにおいては、ユーザが予約した楽曲を、この楽曲の演奏が開始される前に予習できるようにするための技術が種々提案されている。
例えば、カラオケ装置に表示装置（テレビモニタ１２）を２台備え、一方の表示装置には、演奏中の演奏楽曲（再生中のカラオケ音楽）に対応する歌詞を表示させると共に、他方の表示装置には、演奏前の演奏楽曲（事前試聴サービスの音楽）に対応する歌詞を表示させる、といった技術があり（特許文献１参照）、このような技術により演奏が開始される前の予習を実現することができる。
【特許文献１】特開２０００−３９８９５号公報（例えば、段落［００７１］〜［００７７］など）
【発明の開示】
【発明が解決しようとする課題】
【０００３】
しかし、上述したような技術においては、カラオケ装置それぞれに対して、２台の表示装置を備えなければならないため、装置構成が大がかりになってしまうという問題がある。
【０００４】
本発明は、このような課題を解決するためになされたものであり、その目的は、演奏前の楽曲についての予習を実現するにあたり、従来よりも構成が大がかりにならないようにするための技術を提供することである。
【課題を解決するための手段】
【０００５】
上記課題を解決するため請求項１に記載のカラオケシステムは、カラオケ装置が、該カラオケ装置に演奏させるべき演奏楽曲をユーザに選曲させて該選曲された演奏楽曲を前記カラオケ装置に通知する選曲通知機能を有するリモコン端末と、データ通信可能に構成されてなるカラオケシステムである。このカラオケシステムにおいて、前記カラオケ装置は、ユーザ側から通知された演奏楽曲それぞれを特定するための特定情報（例えば、曲番号）を装置側記憶部に記憶させる特定記憶手段と、該特定記憶手段により記憶された特定情報で特定される演奏楽曲それぞれについて、少なくとも該演奏楽曲の伴奏内容および歌詞を示す楽曲データを、複数の演奏楽曲それぞれに対応する楽曲データが蓄積されてなる楽曲データベースから取得し、該取得した楽曲データに基づいて演奏楽曲の演奏を順次行う楽曲演奏手段と、前記特定記憶手段により記憶された特定情報で特定される演奏楽曲のうち、前記楽曲演奏手段による演奏が行われていない未演奏楽曲について、該未演奏楽曲に対応する前記楽曲データを前記楽曲データベースから取得し、該取得した楽曲データにおいて少なくとも歌詞を示すデータ領域からなる領域データを、前記リモコン端末へ送信する領域送信手段と、を備えている。そして、前記リモコン端末は、前記カラオケ装置から送信されてきた前記領域データを端末側記憶部に記憶させる領域記憶手段と、前記選曲通知機能に関するユーザの操作が行われていない期間に、前記領域記憶手段により記憶された領域データで示される歌詞を表示部に表示させる歌詞表示手段と、を備えている。
【０００６】
このように構成されたカラオケシステムによれば、リモコン端末により選曲通知機能に関する操作が行われていない期間に、カラオケ装置から送信された領域データで示される歌詞がリモコン端末の表示部に表示される。この領域データは、カラオケ装置側で演奏されていない未演奏楽曲の歌詞を示すデータであるため、ユーザは、こうして表示される歌詞に基づき、演奏前の楽曲についての予習を行うことができる。
【０００７】
このように、演奏前の楽曲についての予習は、演奏楽曲をカラオケ装置に通知するリモコン端末を利用して行うことができるため、予習のための表示装置を設ける構成と比べてカラオケシステム全体の構成が大がかりになってしまうことはない。
【０００８】
さらに、この構成において、リモコン端末の表示部に歌詞が表示されるのは、選曲通知機能に関する操作が行われていない期間であるため、このような操作が行われていない期間を有効に利用して予習を行うことができるようになる。
【０００９】
なお、この構成における特定記憶手段には、ユーザ側から通知された演奏楽曲それぞれを特定するための特定情報が記憶されるが、ここでいう「ユーザ側から通知された演奏楽曲」とは、リモコン端末から通知された演奏楽曲はもちろん、カラオケ装置の操作部で入力されることにより通知された演奏楽曲も含まれる。
【００１０】
また、楽曲演奏手段は、特定記憶手段により記憶された特定情報で特定される演奏楽曲それぞれ，つまり予約された演奏楽曲のうちの未演奏楽曲の演奏を順次行う手段であるが、この未演奏楽曲としては、予約されている演奏楽曲のうちの演奏楽曲であれば、いずれの演奏楽曲であってもよい。
【００１１】
例えば、請求項２に記載のように、前記楽曲演奏手段による演奏が行われていない演奏楽曲のうち、次に演奏が行われることとなる演奏楽曲であるとすればよい。
このように構成すれば、リモコン端末の表示部に表示される歌詞は、次に演奏されることとなる演奏楽曲の歌詞となるため、ユーザは、次に演奏される演奏楽曲について、演奏直前に予習を行うことができる。
【００１２】
また、上述した未演奏楽曲としては、次に演奏が行われることとなる演奏楽曲だけでなく、例えば、ランダムに選択された演奏楽曲、所定の規則に従って選ばれた演奏楽曲、あらかじめユーザに選択された演奏楽曲などといったものとしてもよい。
【００１３】
また、上述した領域送信手段は、未演奏楽曲に対応する楽曲データのうち、歌詞を示すデータ領域の領域データをリモコン端末へ送信する手段であって、こうして、領域データを送信するタイミングについては、特に限定されないが、例えば、一定期間毎，楽曲演奏手段により演奏楽曲の演奏が行われる毎，などといったタイミングとすればよい。
【００１４】
また、領域送信手段が領域データを送信するタイミングとしては、リモコン端末側からの要求を受けたタイミングが考えることができ、この場合、例えば、請求項３に記載のように、前記リモコン端末においては、外部からの指令を受けて、前記カラオケ装置に対して前記領域データを要求する領域データ要求手段が備えられており、前記カラオケ装置において、前記領域送信手段は、前記リモコン端末から前記領域データの要求を受けた際に、前記領域データを前記リモコン端末へ送信する、ように構成すればよい。
【００１５】
このように構成すれば、カラオケ装置からリモコン端末への領域データの送信を、リモコン端末からの要求に基づいて行うことができる。
なお、この構成において、リモコン端末が領域データを要求する契機となる「外部からの指令」としては、例えば、ユーザがリモコン端末に対して所定の操作を行ったことを考えることができる。
【００１６】
また、未演奏楽曲に対応する領域データが端末側記憶部に記憶されているか否かを判定する記憶判定手段が備えられている場合であれば、この記憶判定手段により領域データが記憶されていないと判定されたことを、「外部からの指令」と考えることもできる。
【００１７】
この場合、例えば、請求項４に記載のように、前記カラオケ装置においては、前記特定記憶手段は、ユーザ側から演奏楽曲が通知される毎に、該演奏楽曲を特定するための特定情報を装置側記憶部に記憶された選曲リストに順次登録し、その後、前記楽曲演奏手段による演奏が開始された演奏楽曲の特定情報について演奏中である旨を特定可能な状態に変更すると共に、演奏が終了した演奏楽曲の特定情報を前記選曲リストから削除して、さらに、前記特定記憶手段により前記選曲リストの登録情報が変更される毎に、該選曲リストを前記リモコン端末へ送信するリスト送信手段を備えており、前記リモコン端末において、前記カラオケ装置から送信されてきた前記選曲リストに登録された特定情報で特定される演奏楽曲のうち、前記未演奏楽曲について、該未演奏楽曲に対応する前記領域データが端末側記憶部に記憶されているか否かを判定する記憶判定手段が備えられており、前記領域データ要求手段は、前記記憶判定手段により前記未演奏楽曲に対応する前記領域データが記憶されていないと判定された場合に、該領域データを前記カラオケ装置に対して要求する、ように構成するとよい。
【００１８】
このように構成すれば、カラオケ装置側で予約状況および演奏楽曲の演奏状況が変わる毎に、その旨の登録された選曲リストがリモコン端末へ送信されるため、リモコン端末側では、こうして逐一送信される選曲リストに基づいて、予約されている演奏楽曲，演奏中の演奏楽曲，未演奏楽曲を特定することができる。そして、リモコン端末側では、記憶判定手段により表示部に表示すべき歌詞，つまり未演奏楽曲の歌詞を示す領域データが装置側記憶部に記憶されているか否かが判定され、記憶されていないと判定された場合にのみ、この領域データがカラオケ装置に要求することができる。
【００１９】
ところで、上述した歌詞表示手段は、領域データで示される歌詞を表示部に表示する手段であるが、このとき表示する歌詞の表示態様については、特に限定されない。例えば、歌詞全体を一覧表示したり、歌詞の一部（例えば、歌い出しやサビ部分など）のみを表示したり、といったことが考えられる。また、領域データを、歌詞の色替えや消去を制御する情報についてのデータ領域を含むデータとした場合において、このデータに基づいてワイプ表示を行う、といったことも考えられる。
【００２０】
また、リモコン端末の表示部に表示される歌詞については、何らかのパラメータ変化に応じて表示態様を変更することが考えられる。例えば、リモコン端末の表示部に表示される歌詞は、予習を実現するために未演奏楽曲の歌詞である必要があるため、この未演奏楽曲が開始されるまでの残り時間，つまり演奏中の演奏楽曲についての演奏終了時間に応じて表示態様を変更する、といったことを考えることができる。
【００２１】
このためには、例えば、請求項５に記載のような構成を考えることができる。
請求項５に記載のカラオケシステムは、前記カラオケ装置において、前記特定記憶手段は、ユーザ側から通知された演奏楽曲の演奏時間を前記楽曲データベースに蓄積されている前記楽曲データから特定し、該特定した演奏時間を対応付けた状態で前記特定情報を前記選曲リストに登録して、前記リモコン端末においては、前記選曲通知機能に関するユーザの操作が行われていない期間となった際に、前記選曲リストの登録内容に基づき、該選曲リストに登録されている演奏中である旨の状態となっている特定情報について、該特定情報で特定される演奏楽曲の演奏が終了するまでに要する時間を推測する終了推測手段が備えられており、前記歌詞表示手段は、前記領域記憶手段により記憶された領域データで示される歌詞を、前記終了推測手段により推測された時間に応じた表示態様にて表示部に表示させる、ことを特徴とする。
【００２２】
このように構成すれば、カラオケ装置からリモコン端末へと送信される選曲リストには、それぞれの演奏楽曲について演奏時間が対応付けられているため、リモコン端末においては、選曲リストの登録内容に基づいて、演奏中の演奏楽曲が演奏終了するまでの残り時間を推測することができる。そして、こうして推測した演奏終了までの残り時間に応じた表示態様により、領域データで示される歌詞を表示部に表示させることができる。
【００２３】
なお、この構成において、特定記憶手段が演奏時間を特定するための構成としては、楽曲データベースに蓄積されている楽曲データに、この楽曲データで示される演奏楽曲の演奏時間を特定可能なデータが含まれている場合であれば、そのデータに基づいて演奏時間を特定するように構成すればよい。また、楽曲データで示される演奏楽曲の演奏時間を特定可能なデータが含まれていない場合であっても、楽曲データのデータサイズが演奏楽曲の演奏時間に応じて異なっている場合であれば、このデータサイズから特定するように構成すればよい。
【００２４】
また、終了推測手段により演奏が終了するまでに要する時間を推測するための構成としては、例えば、いずれかの演奏楽曲が演奏中（演奏開始）とされたときに送信された選曲リストを受信した場合において、この選曲リストを受信した以降の経過時間をカウントしていき、演奏中の演奏楽曲についての演奏時間に到達するまでの残り時間を、演奏が終了するまでに要する時間として特定するといった構成を考えることができる。また、同様な選曲リストを受信した場合において、この選曲リストを受信した以降、演奏中の演奏楽曲についての演奏時間からのダウンカウントを開始し、このカウント値が「０」に到達するまでの残り時間を、演奏が終了するまでに要する時間として特定する、といった構成を考えることもできる。また、リモコン端末側にて選曲リストを受信した時刻を記憶しておき、この時刻と現在時刻との差，および，演奏中の演奏楽曲についての演奏時間を比較することにより、演奏が終了するまでに要する時間を特定するといった構成を考えることができる。
【００２５】
また、この構成において、歌詞表示手段が表示部に歌詞を表示させる際の表示態様としては、例えば、「演奏が終了するまでに要する時間」が短くなるにつれて、ワイプ表示，歌詞全体の一覧表示，歌詞の一部（例えば、歌い出しや，サビ部分など）のみを表示，といった順に表示態様を変化させるように構成することが考えられる。
【００２６】
また、請求項６に記載のカラオケ装置は、請求項１から５のいずれかに記載のカラオケ装置が備える全ての手段を備えてなるカラオケ装置である。
このように構成されたカラオケ装置によれば、請求項１から５のいずれかに記載のカラオケシステムの一部を構成することができる。
【００２７】
また、請求項７に記載のリモコン端末は、請求項１から５のいずれかに記載のリモコン端末が備える全ての手段を備えてなるリモコン端末である。
このように構成されたリモコン端末によれば、請求項１から５のいずれかに記載のカラオケシステムの一部を構成することができる。
【００２８】
また、請求項８に記載のプログラムは、請求項１から５のいずれかに記載のカラオケ装置としてコンピュータシステムを機能させるためのプログラムである。
このようなプログラムにより制御されるコンピュータシステムは、請求項１から５のいずれかに記載のカラオケシステムの一部（カラオケ装置）として機能することができる。
【００２９】
また、請求項９に記載のプログラムは、請求項１から５のいずれかに記載のリモコン端末としてコンピュータシステムを機能させるためのプログラムである。
このようなプログラムにより制御されるコンピュータシステムは、請求項１から５のいずれかに記載のカラオケシステムの一部（リモコン端末）として機能することができる。
【００３０】
なお、上述した各プログラムは、コンピュータによる処理に適した命令の順番付けられた列からなるものであって、例えば、ＦＤ，ＣＤ−ＲＯＭ，メモリーカードなどの記録媒体、インターネットなどの通信回線網を介して、コンピュータシステム，または，コンピュータシステムを利用するユーザに提供されるものである。なお、これらプログラムをユーザに提供する場合には、コンピュータシステムのハードディスクやメモリにプレインストールされた状態で提供する形態であってもよい。また、これらプログラムを実行するコンピュータシステムとしては、例えば、カラオケ装置，リモコン端末に搭載されたコンピュータシステム，カラオケ装置，リモコン端末とデータ通信可能な他のコンピュータなどが利用できる。
【発明を実施するための最良の形態】
【００３１】
以下に本発明の実施形態を図面と共に説明する。
カラオケシステムは、図１に示すように、カラオケ装置１とリモコン端末２とがデータ通信可能に構成されたものである。
【００３２】
カラオケ装置１は、カラオケ装置１全体の動作を制御する制御部１２，カラオケ装置１をネットワークに接続するためのインタフェース部１４，演奏楽曲の伴奏内容および歌詞を示す楽曲データや映像データなどを記憶するハードディスク（ＨＤＤ）１６，複数のキー・スイッチからなる操作部１８，リモコン端末２との間で無線通信を行うための無線通信部２０，操作部１８からの信号を処理する操作処理部２２，ハードディスク１６に記憶された楽曲データから演奏楽曲のオーディオ信号（音響，音声に関する信号）を生成するシンセサイザ２４，シンセサイザ２４により生成されたオーディオ信号およびマイクロフォン２６から入力されたオーディオ信号を増幅してスピーカ２８へ出力するミキシングアンプ３０，映像情報を一時的に記憶するビデオＲＡＭ３２，映像データに基づく映像の再生を制御する映像再生部３４，ビデオＲＡＭ３２に記憶された映像情報および映像再生部３４により再生される映像の表示部３６での表示を制御する映像制御部３８などを備えている。
【００３３】
リモコン端末２は、リモコン端末２全体の動作を制御する制御部５２，カラオケ装置１との間で無線通信を行うための無線通信部５４，各種情報を記憶するメモリ５６，表示部５８の表示領域に沿って設置されるタッチパネルおよび複数のキー・スイッチからなる操作部６０，操作部６０からの信号を処理する操作処理部６２，映像情報を一時的に記憶するビデオＲＡＭ６４，ビデオＲＡＭ６４に記憶された映像情報の表示部５８での表示を制御する映像制御部６６などを備えている。なお、このリモコン端末２におけるメモリ５６には、演奏楽曲それぞれを特定するための特定情報（本実施形態においては、演奏楽曲それぞれに割り当てられた番号）が、この演奏楽曲に関する情報（曲名，歌手名など）と共に対応付けられた状態で登録された検索用データベースが記憶されている。そして、このリモコン端末２は、操作部６０による操作を経て、ユーザが所望する演奏楽曲を検索した後、その演奏楽曲の特定情報をカラオケ装置１側に通知（特定情報を無線通信部５４を介して送信）する機能（選曲通知機能）を有している。
［カラオケ装置１の楽曲予約処理］
以下に、カラオケ装置１の制御部１２により実行される楽曲予約処理の処理手順を図２に基づいて説明する。この楽曲予約処理は、カラオケ装置１が起動されている間に繰り返し実行される処理である。
【００３４】
まず、ユーザからの演奏楽曲の通知を受けるまで待機する（ｓ１１０：ＮＯ）。ここでは、操作部１８により演奏楽曲に割り当てられた特定情報を入力する操作が行われた、または、リモコン端末２側から送信された特定情報を無線通信部２０により受信した、ことをもって、ユーザからの演奏楽曲の通知を受けたと判定する。
【００３５】
このｓ１１０の処理で、ユーザからの演奏楽曲の通知を受けたら（ｓ１１０：ＹＥＳ）、こうして通知された演奏楽曲を選曲リストに登録する（ｓ１２０）。この「選曲リスト」は、制御部１２内蔵のメモリに記憶されるものであって、図３に示すように、ユーザから通知された演奏楽曲に対応する特定情報（曲番号）および演奏時間が順次（予約１曲目〜）登録されるリストであり、このｓ１２０の処理が本楽曲予約処理の開始後、最初に行われる場合には、この選曲リストを生成してから登録が行われることとなる。なお、この選曲リストには、ユーザから通知された演奏楽曲の特定情報が順次登録されていくが、この登録内容は、演奏楽曲の演奏が開始されると、後述する「リスト更新処理（図３）」において、その演奏楽曲が演奏中を示す内容に変更される。
【００３６】
そして、制御部１２内蔵のメモリに記憶された選曲リストを示すリストデータを、無線通信部２０によりリモコン端末２へ送信した後（ｓ１３０）、ｓ１１０の処理へ戻る。
［カラオケ装置１のリスト更新処理］
以下に、カラオケ装置１の制御部１２により実行されるリスト更新処理の処理手順を図４に基づいて説明する。このリスト更新処理は、カラオケ装置１が起動されている間に繰り返し実行される処理である。
【００３７】
まず、制御部１２内蔵のメモリに記憶されている選曲リストの登録内容を参照し（ｓ２１０）、次に演奏すべき演奏楽曲の特定情報が登録されているか否かをチェックする（ｓ２２０）。ここでは、制御部１２内蔵のメモリに記憶された選曲リストのうち、演奏中ではない演奏楽曲（予約１曲目以降）が登録されている場合に、次に演奏すべき演奏楽曲の特定情報が登録されていると判定する。
【００３８】
このｓ２２０の処理で、次に演奏すべき演奏楽曲の特定情報が登録されていなければ（ｓ２２０：ＮＯ）、ｓ２１０の処理へ戻る一方、次に演奏すべき演奏楽曲の特定情報が登録されていれば（ｓ２２０：ＹＥＳ）、この演奏楽曲についての演奏を開始する（ｓ２３０）。ここでは、まず、選曲リストに登録されている特定情報のうち、予約１曲目として登録されている特定情報の演奏楽曲について、この演奏楽曲の伴奏情報，歌詞情報，ワイプ情報を示す楽曲データをハードディスク１６に記憶されている楽曲データベースから読み出す。そして、この楽曲データで示される伴奏情報に基づいて、演奏楽曲のオーディオ信号（音響，音声に関する信号）をシンセサイザ２４に生成させてミキシングアンプ３０に増幅させた後、スピーカ２８から出力させる、といった処理を開始することで演奏楽曲の演奏を開始する。なお、このとき、歌詞情報から順次文字列を生成してビデオＲＡＭ３２に記憶させていくと共に、ワイプ情報に基づき、これら文字列が演奏楽曲の進行に併せたワイプ表示となるような状態とする処理も並行して行われ、これにより、演奏楽曲の進行に併せた歌詞の表示が、映像再生部３４および映像制御部３８を介して順次行われることとなる。
【００３９】
次に、ｓ２３０の処理で演奏楽曲の演奏を開始したことに伴う選曲リストの更新を行う（ｓ２４０）。ここでは、図３に示すように、予約１曲目として登録された情報（曲番号および演奏時間）について演奏中である旨の項目へ移動させると共に、予約ｎ（ｎ≦２）曲目として登録された情報について予約ｎ−１曲目の項目へ繰り上げることにより（図３（ａ）→図３（ｂ））、選曲リストの更新を行う。
【００４０】
次に、制御部１２内蔵のメモリに記憶された選曲リストを示すリストデータを、無線通信部２０によりリモコン端末２へ送信する（ｓ２５０）。
その後、ｓ２３０の処理で開始された演奏楽曲の演奏が終了するまで待機して（ｓ２６０：ＮＯ）、演奏楽曲の演奏が終了したら（ｓ２６０：ＹＥＳ）、この演奏終了に伴う選曲リストの更新を行う（ｓ２７０）。ここでは、演奏中である旨の項目に登録された情報（局番号および演奏時間）を削除した後（図３（ｄ）→図３（ｅ））、予約ｍ（ｍ≦１）曲目として登録された情報それぞれを、演奏中である旨の項目および予約ｍ−１曲目の項目へ繰り上げることにより（図３（ｅ）→図３（ｆ））、選曲リストの更新を行う。
【００４１】
そして、上述したｓ２５０の処理と同様に、選曲リストを示すリストデータを、無線通信部２０によりリモコン端末２へ送信した後（ｓ２８０）、ｓ２１０の処理へ戻る。
［カラオケ装置１の歌詞通知処理］
以下に、カラオケ装置１の制御部１２により実行される歌詞通知処理の処理手順を図５に基づいて説明する。この歌詞通知処理は、カラオケ装置１が起動されている間に繰り返し実行される処理である。
【００４２】
まず、リモコン端末２から情報の要求を受けるまで待機する（ｓ３１０：ＮＯ）。ここでは、リモコン端末２が後述する歌詞有効無効処理（図６）にて送信した要求データを受信した際に情報の要求を受けたと判定する。なお、この要求データは、ユーザが要求する歌詞情報およびワイプ情報に対応する演奏楽曲の識別番号を特定可能なデータである。
【００４３】
このｓ３１０の処理で選曲リストの要求を受けたら（ｓ３１０：ＹＥＳ）、ハードディスク１６に記憶された楽曲データベースから、要求データで特定される演奏楽曲の楽曲データを読み出す（ｓ３２０）。
【００４４】
次に、ｓ３２０の処理で読み出された楽曲データのうち、歌詞情報およびワイプ情報を示すデータ領域を抽出する（ｓ３３０）。
そして、ｓ３３０の処理で楽曲データから抽出されたデータ領域からなる領域データをリモコン端末２へ送信した後（ｓ３４０）、ｓ３１０の処理へ戻る。
［リモコン端末２の歌詞有効無効処理］
以下に、リモコン端末２の制御部５２により実行される歌詞有効無効処理の処理手順を図６に基づいて説明する。この歌詞有効無効処理は、リモコン端末２が起動されている間に繰り返し実行される処理である。
【００４５】
まず、カラオケ装置１からリストデータを受信するまで待機する（ｓ４１０：ＮＯ）。ここで受信を待機するリストデータは、図２におけるｓ１３０，または，図４におけるｓ２５０，ｓ２８０の処理でカラオケ装置１が送信するデータである。
【００４６】
このｓ４１０の処理で、リストデータを受信したら（ｓ４１０：ＹＥＳ）、このリストデータを受信した受信時刻を記憶する（ｓ４２０）。ここでは、リストデータを受信した受信時刻を、メモリ５６に記憶された時刻変数ＴＲにセットすることにより受信時刻の記憶が行われる。
【００４７】
次に、ｓ４１０の処理で受信されたリストデータで示される選曲リストをメモリ５６に記憶した後（ｓ４３０）、この選曲リストにカラオケ装置１側で次に演奏されるべき演奏楽曲の特定情報が登録されているか否かをチェックする（ｓ４４０）。ここでは、選曲リストのうち、演奏中の演奏楽曲が登録されていて、かつ、演奏中ではない演奏楽曲（予約１曲目以降）が登録されている場合に、次に演奏されるべき演奏楽曲の特定情報が登録されていると判定する。
【００４８】
このｓ４４０の処理で、次に演奏されるべき演奏楽曲の特定情報が登録されている場合（ｓ４４０：ＹＥＳ）、その特定情報で特定される演奏楽曲の歌詞情報がメモリ５６に記憶されているか否かをチェックする（ｓ４５０）。メモリ５６には、以降の処理においてカラオケ装置１側から取得した歌詞情報およびワイプ情報が記憶されるため、このｓ４５０の処理では、本歌詞有効無効処理が繰り返し行われる過程において該当する演奏楽曲の歌詞情報およびワイプ情報がめもり５６に記憶済みか否かがチェックされることになる。
【００４９】
このｓ４５０の処理で、該当する演奏楽曲の歌詞情報およびワイプ情報がメモリ５６に記憶されていれば（ｓ４５０：ＹＥＳ）、ｓ４１０の処理へ戻る一方、各情報がメモリ５６に記憶されていなければ（ｓ４５０：ＮＯ）、その演奏楽曲の歌詞情報およびワイプ情報をカラオケ装置１に要求する（ｓ４６０）。ここでは、次に演奏されるべき演奏楽曲の特定情報を示すデータを、この演奏楽曲の各情報を要求するための要求データとして無線通信部５４に送信させることにより情報の要求を行う。なお、この要求データは、カラオケ装置１が図５におけるｓ３１０の処理にて受信するデータであって、この歌詞要求データを受信したカラオケ装置１からは、同図ｓ３４０の処理にて、該当する歌詞情報およびワイプ情報を示す領域データが送信されてくる。
【００５０】
そして、カラオケ装置１から領域データを受信するまで待機し（ｓ４７０：ＮＯ）、この領域データを受信したら（ｓ４７０：ＹＥＳ）、この領域データで示される歌詞情報およびワイプ情報をメモリ５６に記憶させると共に（ｓ４８０）、これら情報を有効化した後（ｓ４９０）、ｓ４１０の処理へ戻る。なお、このｓ４８０の処理において、既に他の歌詞情報およびワイプ情報がメモリ５６に記憶されている場合には、この歌詞情報およびワイプ情報に上書きすることにより各情報の記憶が行われる。また、ｓ４９０の処理においては、メモリ５６に記憶された有効無効フラグＦ（初期状態ではＦ＝０）に「１」をセットすることにより、各情報の有効化を行う。
【００５１】
また、上述したｓ４４０の処理で、次に演奏されるべき演奏楽曲の特定情報が登録されていない場合（ｓ４４０：ＮＯ）、メモリ５６に記憶されている歌詞情報およびワイプ情報を無効化した後（ｓ５００）、ｓ４１０の処理へ戻る。なお、このｓ５００の処理では、メモリ５６に記憶されている有効無効フラグＦに「０」をセットすることにより、各情報の無効化を行う。
［リモコン端末２の予習処理］
以下に、リモコン端末２の制御部５２により実行される予習処理の処理手順を図７に基づいて説明する。この予習処理は、リモコン端末２が起動されている間に繰り返し実行される処理である。
【００５２】
まず、操作部６０による何らかの操作が行われたか否かをチェックする（ｓ５１０）。なお、このように、操作部６０による何らかの操作が行われた際には、その操作内容に応じた処理が行われることとなるが、本発明を理解する上で重要ではないため、ここでは省略する。
【００５３】
このｓ５１０の処理で操作部６０による何らかの操作が行われたら（ｓ５１０：ＹＥＳ）、操作の行われた最終時刻を記憶した後（ｓ５２０）、ｓ５１０の処理へ戻る。このｓ５２０の処理では、操作の行われた操作時刻を、メモリ５６に記憶された時刻変数ＴＯ（初期状態では、ＴＯ＝現在時刻）にセットすることにより最終時刻の記憶が行われる。
【００５４】
また、ｓ５１０の処理で、操作部６０による何らかの操作が行われていなければ（ｓ５１０：ＮＯ）、操作部６０による操作が行われていない時間が所定の待機時間（本実施形態においては１０秒）継続したか否かをチェックする（ｓ５３０）。ここでは、時刻変数ＴＯにセットされている時刻と、現在時刻との差を算出して、この差が待機時間以上となっていれば、操作の行われていない時間が待機時間継続したと判定する。なお、この「待機時間」については、あらかじめ定められた値としておけばよいが、操作部６０への操作により任意に変更可能な値としてもよい。
【００５５】
このｓ５３０の処理で、操作の行われていない時間が待機時間継続していない場合（ｓ５３０：ＮＯ）、ｓ５１０の処理へ戻る一方、操作の行われていない時間が待機時間継続している場合（ｓ５３０：ＹＥＳ）、メモリ５６に記憶されている歌詞情報およびワイプ情報が有効か否かをチェックする（ｓ５４０）。ここでは、メモリ５６に記憶されている有効無効フラグＦに「１」がセットされている場合に、メモリ５６に記憶されている歌詞情報およびワイプ情報が有効であると判定する。
【００５６】
このｓ５４０の処理で、歌詞情報およびワイプ情報が有効でない（つまり有効無効フラグＦ＝０）場合（ｓ５４０：ＮＯ）、ｓ５１０の処理へ戻る一方、歌詞情報およびワイプ情報が有効である（つまり有効無効フラグＦ＝１）場合（ｓ５４０：ＹＥＳ）、歌詞情報で示される歌詞の表示部５８による表示を開始する（ｓ５５０）。このｓ５５０の処理では、カラオケ装置１により演奏中の演奏楽曲における演奏終了までの残り時間に応じて異なる表示態様にて歌詞の表示が行われる。具体的には、まず、現在時刻と時刻変数ＴＲにセットされた時刻との差となる値を、選曲リストにおいて演奏中である旨の項目として登録されている演奏時間から減算し、この時間をカラオケ装置１により演奏中の演奏楽曲における演奏終了までの残り時間として算出する。そして、この残り時間が第１のしきい値（本実施形態においては、１２０秒）以上であれば、歌詞情報で示される歌詞をワイプ情報に基づいてワイプ表示させ、残り時間が第１のしきい値より小さく第２のしきい値（本実施形態においては、６０秒）以上であれば、歌詞情報で示される歌詞全体を一覧表示させ、残り時間が第２のしきい値より小さければ、歌詞情報で示される歌詞の一部（例えば、歌い出しやサビ部分など）のみを表示させる。なお、図８に、歌詞情報で示される歌詞全体を一覧表示（ここでは、スクロールバーによりスクロール可能な表示態様；「・・・」が歌詞を示すものとする）させた様子を示す。
【００５７】
そして、ｓ５５０の処理で歌詞の表示を開始した以降、操作部６０による何らかの操作が行われるまで待機し（ｓ５６０：ＮＯ）、操作ｂ６０による何らかの操作が行われたら（ｓ５６０：ＹＥＳ）、ｓ５５０の処理で開始された歌詞の表示を中断して（ｓ５７０）、ｓ５２０の処理へ戻る。
［通信遷移］
以下に、カラオケ装置１およびリモコン端末２それぞれが起動した以降、カラオケ装置１にて演奏楽曲の予約が行われてからリモコン端末２側に領域データが送信されるまでの遷移状態を図９に基づいて例示する。
【００５８】
まず、演奏楽曲Ａの通知を受けたカラオケ装置１は、図２におけるｓ１１０〜ｓ１３０の処理によって、通知を受けた演奏楽曲Ａの登録された選曲リストを示すリストデータを、リモコン端末２へ送信する（矢印ａ）。このときの選曲リストには、まだ演奏中の演奏楽曲が登録されていない状態のため（図３（ａ）参照）、この選曲リストを示すリストデータを受信したリモコン端末２は、図６におけるｓ４４０の処理で「ＮＯ」と判定し、歌詞情報およびワイプ情報を無効化するため、図７におけるｓ５４０の処理で「ＹＥＳ」と判定することはなく、結果、同図ｓ５５０の処理による歌詞の表示を行うことはない。
【００５９】
次に、カラオケ装置１側では、上記のように登録された演奏楽曲Ａが演奏開始される。このとき、図４におけるｓ２３０〜ｓ２５０の処理により、演奏開始に伴って更新した選曲リストを示すリストデータをリモコン端末２へ送信する（矢印ｂ）。このときの選曲リストも、演奏中ではない演奏楽曲が登録されていないため（図３（ｂ）参照）、この選曲リストを示すリストデータを受信したリモコン端末２は、図６におけるｓ４４０の処理で「ＮＯ」と判定して、結果的に、図７におけるｓ５５０の処理で歌詞の表示を行うことはない。
【００６０】
この後、上記演奏楽曲Ａが演奏されている最中に、演奏楽曲Ｂの通知を受けたカラオケ装置１は、通知を受けた演奏楽曲Ｂが登録された状態に更新された選曲リストを示すリストデータを、リモコン端末２へ送信する（矢印ｃ）。このときの選曲リストには、演奏中ではない演奏楽曲Ｂが登録されているため（図３（ｃ）参照）、この選曲リストを示すリストデータを受信したリモコン端末２は、図６におけるｓ４４０の処理で「ＹＥＳ」と判定し、この時点では演奏楽曲Ｂの歌詞情報およびワイプ情報（領域データ）がメモリ５６に記憶されていないため、同図ｓ４６０の処理で、これらの情報を要求データにて要求する（矢印ｄ）。
【００６１】
この要求を受けたカラオケ装置１は、図５におけるｓ３１０〜ｓ３４０の処理により、要求された情報（該当する演奏楽曲Ｂについての歌詞情報およびワイプ情報）を示す領域データをリモコン端末２に送信する（矢印ｅ）。
【００６２】
この領域データを受信したリモコン端末２では、図６におけるｓ４７０〜ｓ４９０の処理により、この領域データで示される情報を有効なものとしてメモリ５６に記憶する。
以降、カラオケ装置１は、演奏楽曲Ａが演奏されている最中に、他の演奏楽曲Ｃの通知を受けた場合も、リストデータをリモコン端末２へ送信するが（矢印ｆ）、このときの選曲リストは、次に演奏されるべき演奏楽曲の特定情報に変化がないため（図３（ｄ）参照）、このリストデータを受信したリモコン端末２は、図６におけるｓ４５０の処理で「ＮＯ」と判定し、新たに情報を要求することはない。
【００６３】
その後、上述の演奏楽曲Ａが演奏終了した場合、カラオケ装置１は、その旨を示す状態に更新した選曲リストを示すリストデータを、リモコン端末２に送信する（矢印ｇ）。このときの選曲リストは、演奏中であった演奏楽曲についての情報（特定情報および演奏時間）が削除されただけであって、次に演奏されるべき演奏楽曲の特定情報に変化がないため（図３（ｄ）参照）、このリストデータを受信したリモコン端末２は、図６におけるｓ４５０の処理で「ＮＯ」と判定し、新たに情報を要求することはない。
【００６４】
次に、カラオケ装置１側では、上記のように登録された演奏楽曲Ｂが演奏開始される。このとき、図４におけるｓ２３０〜ｓ２５０の処理により、演奏開始に伴って更新した選曲リストを示すリストデータをリモコン端末２へ送信する（矢印ｈ）。このときの選曲リストには、演奏中ではない演奏楽曲Ｃが登録されているため、この選曲リストを示すリストデータを受信したリモコン端末２は、図６におけるｓ４４０の処理で「ＹＥＳ」と判定し、この時点では演奏楽曲Ｃの歌詞情報およびワイプ情報（領域データ）がメモリ５６に記憶されていないため、同図ｓ４６０の処理で、これらの情報を要求データにて要求する（矢印ｉ）。
【００６５】
この要求を受けたカラオケ装置１は、図５におけるｓ３１０〜ｓ３４０の処理により、要求された情報（該当する演奏楽曲Ｃについての歌詞情報およびワイプ情報）を示す領域データをリモコン端末２に送信する（矢印ｊ）。
【００６６】
この領域データを受信したリモコン端末２では、図６におけるｓ４７０〜ｓ４９０の処理により、この領域データで示される情報を有効なものとしてメモリ５６に記憶する。
［効果］
このように構成されたカラオケシステムによれば、図７におけるｓ５５０の処理にて、リモコン端末２により操作部６０への操作が行われていない期間に、カラオケ装置１から送信された領域データで示される歌詞がリモコン端末２の表示部５８に表示される。この領域データは、カラオケ装置１側で演奏されていない演奏楽曲の歌詞を示すデータであるため、ユーザは、こうして表示される歌詞に基づき、演奏前の楽曲についての予習を行うことができる。
【００６７】
このように、演奏前の楽曲についての予習は、演奏楽曲をカラオケ装置１に通知するリモコン端末２を利用して行うことができるため、予習のための表示装置を設ける構成と比べてカラオケシステム全体の構成が大がかりになってしまうことはない。
【００６８】
さらに、リモコン端末２の表示部５８に歌詞が表示されるのは、操作部６０に対する操作が行われていない期間であるため、このような操作が行われていない期間を有効に利用して予習を行うことができる。
【００６９】
また、図７におけるｓ５５０の処理でリモコン端末２の表示部５８に表示される歌詞は、図６におけるｓ４４０〜ｓ４９０の処理によりカラオケ装置１から取得された領域データで示されるものであって、カラオケ装置１側で次に演奏が開始されるべき演奏楽曲の歌詞であるため、ユーザは、次に演奏が開始される演奏楽曲について、演奏直前に予習を行うことができる。
【００７０】
また、カラオケ装置１が図５におけるｓ３４０の処理で領域データを送信するのは、図６におけるｓ４６０の処理によるリモコン端末２からの要求を受けたときであるため、カラオケ装置１からリモコン端末２への領域データの送信を、リモコン端末２からの要求に基づいて行うことができる。
【００７１】
また、カラオケ装置１からリモコン端末２へのリストデータの送信は、カラオケ装置１側で予約状況および演奏楽曲の演奏状況が変わる毎に行われるため、リモコン端末２側では、こうして逐一送信されるリストデータで示される選曲リストに基づいて、このリストに登録（予約）されている演奏楽曲，演奏中の演奏楽曲，次に演奏される演奏楽曲を特定することができる。そして、リモコン端末２では、図６におけるｓ４５０の処理にて、図７におけるｓ５５０の処理で表示する歌詞，つまり次に演奏が開始される演奏楽曲の歌詞情報がメモリ５６に記憶されているか否かが判定され、記憶されていないと判定された場合にのみ、同図ｓ４６０の処理にて該当する情報をカラオケ装置１に要求することができる。
【００７２】
また、カラオケ装置１からリモコン端末２へと送信されるリストデータで示される選曲リストには、それぞれの演奏楽曲について演奏時間が対応付けられているため、リモコン端末２においては、図７におけるｓ５５０の処理で歌詞を表示するにあたり、このリストデータを受信した受信時刻，選曲リストの登録内容，および，現在時刻に基づいて、演奏中の演奏楽曲が演奏終了するまでの残り時間を推測（算出）することができる。そして、こうして推測した演奏終了までの残り時間に応じた表示態様により、歌詞情報で示される歌詞を表示部５８に表示させることができる。
【００７３】
［変形例］
以上、本発明の実施の形態について説明したが、本発明は、上記実施形態に何ら限定されることはなく、本発明の技術的範囲に属する限り種々の形態をとり得ることはいうまでもない。
【００７４】
例えば、図６における歌詞有効無効処理では、有効無効フラグＦに「１」または「０」をセットすることにより、歌詞情報およびワイプ情報の有効化または無効化を行うように構成されたものを例示した。しかし、これら情報の有効化または無効化するための構成としては、別の構成を採用することもできる。例えば、メモリ５６に歌詞情報およびワイプ情報が記憶されている状態をこれら情報の有効化とし、記憶されていない状態をこれら情報の無効化とする、具体的な例として、同図ｓ４９０の処理を行わずに次の処理へ移行し、同図ｓ５００の処理でメモリ５６から各情報を削除するように構成すればよい。
【００７５】
また、上記実施形態においては、図７におけるｓ５５０の処理で表示される歌詞が、カラオケ装置１側で次に演奏が開始される演奏楽曲のものである構成を例示した。しかし、この処理において表示される歌詞としては、カラオケ装置１で演奏が行われていない演奏楽曲のものであれば、次に演奏が行われる演奏楽曲以外の歌詞となるように構成してもよい。この場合、カラオケ装置１が図５におけるｓ３４０の処理で送信する領域データを、次に演奏が行われる演奏楽曲を含む２以上の演奏楽曲に対応する歌詞情報（およびワイプ情報）が特定可能なものとし、リモコン端末２が図７におけるｓ５５０の処理で、領域データで特定される２以上の歌詞を順番に表示するように構成すればよい。
【００７６】
また、上記実施形態においては、図７におけるｓ５５０の処理で表示される歌詞が、カラオケ装置１側で次に演奏が開始される演奏楽曲のものである構成を例示した。しかし、この処理において表示される歌詞としては、次に演奏が行われることとなる演奏楽曲だけでなく、例えば、ランダムに選択された演奏楽曲、所定の規則に従って選ばれた演奏楽曲、あらかじめユーザに選択された演奏楽曲などといったものとしてもよい。この場合、カラオケ装置１が図５におけるｓ３４０の処理で送信する領域データを、次に演奏が行われる演奏楽曲を含む２以上の演奏楽曲に対応する歌詞情報（およびワイプ情報）が特定可能なものとし、リモコン端末２が図７におけるｓ５５０の処理で、領域データで特定される２以上の歌詞のうち、ランダム，所定の規則，あらかじめ選択されたものについて表示するように構成すればよい。
【００７７】
また、上記実施形態において、カラオケ装置１は、図５におけるｓ３４０の処理でリモコン端末２からの要求を受けた際に領域データを送信するように構成されたものを例示した。しかし、このように領域データを送信するタイミングについては特に限定されず、例えば、一定期間毎，演奏楽曲の演奏が行われる毎，リストデータを送信する毎（またはリストデータと共に送信する）などといったタイミングとすればよい。
【００７８】
また、上記実施形態においては、図６におけるｓ４４０の処理で次に演奏されるべき演奏楽曲が選曲リストに登録されていないことを契機に、同図ｓ４６０の処理でリモコン端末２による情報の要求が行われるように構成されたものを例示した。しかし、このように、情報の要求が行われるようにするための契機としては、例えば、ユーザがリモコン端末２の操作部６０により特定の操作を行ったときなどを採用してもよい。
【００７９】
また、上記実施形態においては、図７におけるｓ５５０の処理で表示する歌詞の表示態様を決定するにあたり、リストデータで示される選曲リストに登録された演奏時間，リストデータの受信時刻，および，現在時刻により、演奏中の演奏楽曲が演奏終了するまでの残り時間を算出するように構成されたものを例示した。しかし、このように、演奏中の演奏楽曲が演奏終了するまでの残り時間を算出する方法については特に限定されない。例えば、リストデータを受信した以降の経過時間をカウントしていき、演奏中の演奏楽曲についての演奏時間に到達するまでの残り時間を、演奏が終了するまでに要する時間として特定するといった構成を考えることができる。また、リストデータを受信した以降、演奏中の演奏楽曲についての演奏時間からのダウンカウントを開始し、このカウント値が「０」に到達するまでの残り時間を、演奏が終了するまでに要する時間として特定する、といった構成を考えることもできる。
【００８０】
［本発明との対応関係］
以上説明した実施形態において、カラオケ装置１のハードディスク１６は、本発明における装置側記憶部であり、リモコン端末２のメモリ５６は、本発明における端末側記憶部である。
【００８１】
また、図２におけるｓ１３０，図４におけるｓ２５０，ｓ２８０の処理は本発明におけるリスト送信手段であり、図２におけるｓ１２０の処理は本発明における特定記憶手段であり、図４におけるｓ２１０〜ｓ２８０の処理は本発明における楽曲演奏手段であり、図５におけるｓ３４０の処理は本発明における領域送信手段であり、図６におけるｓ４８０の処理は本発明における領域記憶手段であり、同図ｓ４５０の処理は本発明における記憶判定手段であり、同図ｓ４６０の処理は本発明における領域データ要求手段であり、図７におけるｓ５５０の処理は本発明における歌詞表示手段であり、同図ｓ５５０の処理（残り時間を算出する処理部分）は本発明における推測手段である。
【００８２】
また、図４におけるｓ２２０の処理にいう「次に得奏すべき演奏楽曲」は、本発明における未演奏楽曲である。
また、図２におけるｓ１２０の処理で選曲リストに登録される曲番号は、本発明における特定情報である。
【図面の簡単な説明】
【００８３】
【図１】カラオケシステムの全体構成を示すブロック図
【図２】楽曲予約処理の処理手順を示すフローチャート
【図３】選曲リストのデータ構造を示す図
【図４】リスト更新処理の処理手順を示すフローチャート
【図５】歌詞通知処理の処理手順を示すフローチャート
【図６】歌詞有効無効処理の処理手順を示すフローチャート
【図７】予習処理の処理手順を示すフローチャート
【図８】歌詞情報で示される歌詞全体を一覧表示させた様子を示す図
【図９】通信の遷移状態を示す図
【符号の説明】
【００８４】
１…カラオケ装置、２…リモコン端末、１２…制御部、１４…インタフェース部、１６…ハードディスク、１８…操作部、２０…無線通信部、２２…操作処理部、２４…シンセサイザ、２６…マイクロフォン、２８…スピーカ、３０…ミキシングアンプ、３２…ビデオＲＡＭ、３４…映像再生部、３６…表示部、３８…映像制御部、５２…制御部、５４…無線通信部、５６…メモリ、５８…表示部、６０…操作部、６２…操作処理部、６４…ビデオＲＡＭ、６６…映像制御部。
【図１】
2006047574.tif 000003
【図２】
2006047574.tif 000004
【図３】
2006047574.tif 000005
【図４】
2006047574.tif 000006
【図５】
2006047574.tif 000007
【図６】
2006047574.tif 000008
【図７】
2006047574.tif 000009
【図８】
2006047574.tif 000010
【図９】
2006047574.tif 000011
【手続補正書】
【提出日】平成16年8月19日(2004.8.19)
【手続補正１】
【補正対象書類名】図面
【補正対象項目名】図１
【補正方法】変更
【補正の内容】
【図１】
2006047574.tif 000012